(57)【要約】【課題】本発明は、冷温水器及び冷温水器の殺菌方法を提供する。【解決手段】本発明は冷水が収容される冷水タンクと、前記冷水タンクの下部に配置される温水タンクと、前記冷水タンクの水を使用者用に排出する冷水コークと、前記冷水タンクと前記冷水コークを連結する冷水供給管と、前記冷水タンクと前記温水タンクを連結して、前記冷水タンクから前記温水タンクに水が移動するように案内する第１案内管と、を含むことを特徴とする。【選択図】図１
2017141060.tif 000002
【特許請求の範囲】
【請求項１】
冷水が収容される冷水タンクと、
前記冷水タンクの下部に配置される温水タンクと、
前記冷水タンクの水を使用者用に排出する冷水コークと、
前記冷水タンクと前記冷水コークを連結する冷水供給管と、
前記冷水タンクと前記温水タンクを連結して、前記冷水タンクから前記温水タンクに水が移動するように案内する第１案内管と、
前記冷水供給管に設けられ、前記冷水コークを通じて冷水が出水される第１流路を開閉する第１バルブと、
前記温水タンクと前記第１バルブを連結する第２案内管と、
前記第１バルブと前記第２案内管との間に配置され、前記第２案内管を通じて前記温水タンクの温水が前記冷水供給管を経て前記冷水タンクに流入する第２流路を開閉する第２バルブと、
前記温水タンクを加熱するヒーターと、
前記冷水タンクに対する殺菌が実行された場合に、前記ヒーターを駆動して、前記第１バルブで前記第１流路を閉めて前記第２バルブで前記第２流路を開放するように制御する制御部と、
を含むことを特徴とする冷温水器。
【請求項２】
前記第２案内管には前記温水タンクの水を前記冷水タンクに移動させる循環ポンプが設けられることを特徴とする請求項１に記載の冷温水器。
【請求項３】
前記循環ポンプが駆動された場合、前記第１案内管では水が前記冷水タンクで前記温水タンクに移動し、前記第２案内管では水が前記温水タンクから前記冷水タンクに移動することを特徴とする請求項２に記載の冷温水器。
【請求項４】
前記第１案内管は、前記冷水タンクの下部と前記温水タンクの下部を連結するように配置され、
前記第２案内管は前記温水タンクの上部に連結されることを特徴とする請求項１に記載の冷温水器。
【請求項５】
前記第１バルブは、
外観を形成する第１ハウジングと、
前記第１流路を開閉する第１移動部を含み、
前記第１ハウジングには、
前記冷水供給管に連結される第１貫通孔と、
前記冷水コークに連結される第２貫通孔と、
前記第２バルブに連結される第３貫通孔とが形成されることを特徴とする請求項１に記載の冷温水器。
【請求項６】
前記第２バルブは、
外観を形成する第２ハウジングと、
前記第２流路を開閉する第２移動部を含み、
前記第２ハウジングには、
前記第２案内管に連結される第１連通孔と、
前記第３貫通孔に連結される第２連通孔とが形成されることを特徴とする請求項５に記載の冷温水器。
【請求項７】
前記第２連通孔、前記第３貫通孔及び前記第１貫通孔は、水が移動できるように常に詰まらずに連通されることを特徴とする請求項６に記載の冷温水器。
【請求項８】
前記第１移動部で前記第１流路を開放した場合、水は前記第１貫通孔を通じて前記第２貫通孔に移動することを特徴とする請求項６に記載の冷温水器。
【請求項９】
前記第２移動部で前記第２流路を開放した場合、水は前記第１連通孔、前記第２連通孔、前記第３貫通孔及び前記第１貫通孔に順次移動することを特徴とする請求項６に記載の冷温水器。
【請求項１０】
前記冷水タンクに設置され、前記冷水タンクの水を外部に排出するドレン管をさらに含み、
前記制御部は前記冷水タンクに対する殺菌が完了した場合、前記ドレン管を通じて前記冷水タンクの温水を外部に排出させることを特徴とする請求項１に記載の冷温水器。
【請求項１１】
前記制御部は前記冷水タンクに対する殺菌が始まった場合、前記ドレン管を通じて前記冷水タンクの冷水を外部に排出させることを特徴とする請求項１０に記載の冷温水器。
【請求項１２】
前記冷水タンクの温度を測定する温度センサーをさらに含み、
前記制御部は殺菌が始まって所定時間が経過した後、前記温度センサーの測定温度が設定温度程度上昇しなければ殺菌動作に問題が発生したものとして判断することを特徴とする請求項１に記載の冷温水器。
【請求項１３】
冷水タンクに収容された冷水を外部に排出する第１排出段階と、
冷水コークを通じて冷水が出水される第１流路を閉めて、温水タンクの温水が冷水タンクに流入される第２流路を開放する段階と、
温水タンクに収容された温水を前記冷水タンクに移動させて、前記冷水タンクの温度を上昇させる移動段階と、
前記冷水タンクに収容された温水を外部に排出する第２排出段階と、
を含む冷温水器の殺菌方法。
【請求項１４】
前記第１排出段階または前記第２排出段階では、前記冷水タンクに連結されたドレン管を通じて水を外部に排出することを特徴とする請求項１３に記載の冷温水器の殺菌方法。
【請求項１５】
前記第１排出段階または前記第２排出段階では前記ドレンポンプが所定時間の間に駆動された場合、前記冷水タンクの水の排出が完了したと判断することを特徴とする請求項１４に記載の冷温水器の殺菌方法。
【請求項１６】
前記移動段階ではヒーターが駆動されて前記温水タンクに収容された水を加熱して、
前記温水タンクの水を前記冷水タンクに移動させる循環ポンプが駆動され、第１案内管を通じて冷水タンクの水が温水タンクに移動し、第２案内管を通じて温水タンクの水が冷水タンクに移動することを特徴とする請求項１３に記載の冷温水器の殺菌方法。
【請求項１７】
前記移動段階を実行しながら所定時間が経過した後、前記冷水タンクの温度を測定する測定段階と、
前記冷水タンクの温度が設定温度に到逹しない場合に故障が発生したものとして判断する判断段階と、をさらに含む請求項１３に記載の冷温水器の殺菌方法。
【請求項１８】
前記判断段階では外部から水が供給されないものと認知することを特徴とする請求項１７に記載の冷温水器の殺菌方法。
【発明の詳細な説明】
【技術分野】
【０００１】
本発明は、冷温水器及び冷温水器の殺菌方法に関するものであり、より詳細には、冷温水器の冷水タンクと、冷水タンクで冷水コークを連結する管を殺菌することができる冷温水器及び冷温水器の殺菌方法に関するものである。
【背景技術】
【０００２】
昨今、急激な産業発達によって環境汚染がひどくなってきており、その中でも水質汚染は深刻な水準に到逹して家庭や官公署など大多数の所では水を浄水処理して飲み水として飲用しているのが実情である。
【０００３】
冷温水器は広い意味では水を加熱するか、または冷却させて冷水及び温水で供給する装置を意味し、外部の給水源から供給された水を浄水して提供するか、または生水桶に貯蔵された水を供給する装置を含むことができる。
【０００４】
このような冷温水器は冷水及び温水をそれぞれ分離して貯蔵できるように冷水タンク及び温水タンクがそれぞれ別に具備され、冷水タンクには水を冷却させるための冷却装置が具備されて温水タンクには水を加熱させるための加熱装置が具備される。冷水タンクと温水タンクは別途の連結管を通じて相互連結されて冷水タンク内部空間に供給された水は連結管を通じて温水タンクに供給される。
【０００５】
しかし、従来技術による冷温水器によれば、冷水タンクを殺菌または消毒するためには作業者が冷水タンクを分解して殺菌または消毒する作業をするなどの別途の労力を要する。したがって、熟練された作業者ではない一般使用者が殺菌または消毒ができるようにしたり、エネルギー効率を向上させて殺菌の所要時間を短縮させたりすることができる技術に関する研究が必要である。
【発明の概要】
【発明が解決しようとする課題】
【０００６】
本発明は前記のような問題点を解決するためのものであり、冷水タンクを低温殺菌して清潔度を向上させることができる冷温水器及び冷温水器の殺菌方法を提供するものである。特に、本発明は冷水タンクで冷水コークに連結される冷水供給管に対しても殺菌ができる。
【０００７】
また、本発明は、殺菌を実行する時にエネルギー効率を向上させて、所要時間を減らすことができる冷温水器及び冷温水器の殺菌方法を提供するものである。
【０００８】
また、本発明は、殺菌が実行される時に使用者の不注意による傷害を防止することができる冷温水器及び冷温水器の殺菌方法を提供するものである。
【課題を解決するための手段】
【０００９】
前記の目的を達成するために、本発明は冷水が収容される冷水タンクと、前記冷水タンクの下部に配置される温水タンクと、前記冷水タンクの水を使用者用に排出する冷水コークと、前記冷水タンクと前記冷水コークを連結する冷水供給管と、前記冷水タンクと前記温水タンクを連結し、前記冷水タンクで前記温水タンクに水が移動するように案内する第１案内管と、前記冷水供給管に設けられ、前記冷水コークを通じて冷水が出水される第１流路を開閉する第１バルブと、前記温水タンクと前記第１バルブを連結する第２案内管と、前記第１バルブと前記第２案内管との間に配置され、前記第２案内管を通じて前記温水タンクの温水が前記冷水供給管を経て前記冷水タンクに流入する第２流路を開閉する第２バルブと、前記温水タンクを加熱するヒーターと、及び前記冷水タンクに対する殺菌が実行された場合、前記ヒーターを駆動して、前記第１バルブで前記第１流路を閉めて前記第２バルブで前記第２流路を開放するように制御する制御部と、を含むことを特徴とする冷温水器を提供する。
【００１０】
前記第２案内管には前記温水タンクの水を前記冷水タンクに移動させる循環ポンプが設けられてもよい。
【００１１】
前記循環ポンプが駆動された場合、前記第１案内管では水が前記冷水タンクから前記温水タンクに移動して、前記第２案内管では水が前記温水タンクから前記冷水タンクに移動することが可能である。
【００１２】
前記第１案内管は前記冷水タンクの下部と前記温水タンクの下部を連結するように配置され、前記第２案内管は前記温水タンクの上部に連結されてもよい。
【００１３】
前記第１バルブは、外観を形成する第１ハウジングと、前記第１流路を開閉する第１移動部を含み、前記第１ハウジングには、前記冷水供給管に連結される第１貫通孔と、前記冷水コークに連結される第２貫通孔と、前記第２バルブに連結される第３貫通孔が形成されてもよい。
【００１４】
前記第２バルブは、外観を形成する第２ハウジングと、前記第２流路を開閉する第２移動部を含み、前記第２ハウジングには、前記第２案内管に連結される第１連通孔と、前記第３貫通孔に連結される第２連通孔が形成されてもよい。
【００１５】
前記第２連通孔、前記第３貫通孔及び前記第１貫通孔は水が移動できるように常に詰まらずに連通されてもよい。
【００１６】
前記第１移動部で前記第１流路を開放した場合、水は前記第１貫通孔を通じて前記第２貫通孔に移動することが可能である。
【００１７】
前記第２移動部で前記第２流路を開放した場合、水は前記第１連通孔、前記第２連通孔、前記第３貫通孔及び前記第１貫通孔に順次移動することが可能である。
【００１８】
前記冷水タンクに設置され、前記冷水タンクの水を外部に排出するドレン管をさらに含み、前記制御部は前記冷水タンクに対する殺菌が完了した場合、前記ドレン管を通じて前記冷水タンクの温水を外部に排出させてもよい。
【００１９】
前記制御部は前記冷水タンクに対する殺菌が始まった場合、前記ドレン管を通じて前記冷水タンクの冷水を外部に排出させてもよい。
【００２０】
前記冷水タンクの温度を測定する温度センサーをさらに含み、前記制御部は殺菌が始まって所定時間が経過した後に前記温度センサーの測定温度が設定温度程度上昇しなければ、殺菌動作に問題が発生したものとして判断してもよい。
【００２１】
本発明は、冷水タンクに収容された冷水を外部に排出する第１排出段階と、冷水コークを通じて冷水が出水される第１流路を閉めて、温水タンクの温水が冷水タンクに流入する第２流路を開放する段階と、温水タンクに収容された温水を前記冷水タンクに移動して、前記冷水タンクの温度を上昇させる移動段階と、前記冷水タンクに収容された温水を外部に排出する第２排出段階と、を含む冷温水器の殺菌方法を提供する。
【００２２】
前記第１排出段階または前記第２排出段階では前記冷水タンクに連結されたドレン管を通じて水を外部に排出してもよい。
【００２３】
前記第１排出段階または前記第２排出段階では前記ドレンポンプが所定時間の間に駆動された場合、前記冷水タンクの水の排出が完了したと判断してもよい。
【００２４】
前記移動段階ではヒーターが駆動されて前記温水タンクに収容された水を加熱して、前記温水タンクの水を前記冷水タンクに移動させる循環ポンプが駆動されて、第１案内管を通じて冷水タンクの水が温水タンクに移動されて、第２案内管を通じて温水タンクの水が冷水タンクに移動することが可能である。
【００２５】
前記移動段階を実行しながら所定時間が経過した後に前記冷水タンクの温度を測定する測定段階と、及び前記冷水タンクの温度が設定温度に到逹しない場合に故障が発生したものとして判断する判断段階と、をさらに含むことが可能である。
【００２６】
前記判断段階では外部から水が供給されないものと認知することが可能である。
【発明の効果】
【００２７】
本発明によれば、冷水タンクを低温殺菌して清潔度を向上させることができる。本発明は、冷水タンクで冷水コークに連結される冷水供給管に対しても殺菌ができ、清潔度が向上する。
【００２８】
また、本発明によれば、殺菌を実行する時にエネルギー効率を向上させて、殺菌に必要となる時間を減らすことができる。
【００２９】
また、本発明は殺菌が実行される時に使用者の不注意による負傷を防止することができる。
【００３０】
また、本発明は、冷水タンクに温水が早く流入させることができ、殺菌を素早く実行することができる。
【図面の簡単な説明】
【００３１】
【図１】本発明による冷温水器の斜視図である。
【図２】図１の正面図である。
【図３】図１の断面図である。
【図４】本発明の要部を示した図面である。
【図５】図４を具体的に示した図面である。
【図６】図５で冷水が出水される時の流れを説明した図面である。
【図７】図５で殺菌が実行される時の流れを説明した図面である。
【図８】冷水が出水される時の水の流れを説明した図面である。
【図９】ドレン管を通じて水が排出される時に水の流れを示した図面である。
【図１０】循環ポンプが駆動される時に水の流れを示した図面である。
【図１１】本発明によるブロック図である。
【図１２】本発明による殺菌制御流れ図である。
【図１３】図１２の変形例を示した図面である。
【発明を実施するための形態】
【００３２】
以下、前記の目的を具体的に実現することができる本発明の望ましい実施例を添付した図面を参照して説明する。
【００３３】
この過程で図面に示された構成要素の大きさや形状などは説明の明瞭性と便宜上誇張されるように図示されることがある。また、本発明の構成及び作用を考慮して特別に定義された用語は使用者、運用者の意図または慣例によって変わることがある。このような用語らに対する定義は本明細書全般にわたった内容を土台で下ろされなければならない。
【００３４】
図１は本発明による冷温水器の斜視図であり、図２は図１の正面図である。以下、図１及び図２を参照して説明する。
【００３５】
冷温水器は外観を形成する本体１０を具備し、前記本体１０には使用者が押すことができる温水レバー１４と冷水レバー１８が設置される。使用者は前記温水レバー１４を押して前記温水コーク１２を通じて温水を出水することができる。また、使用者は前記冷水レバー１８を押して前記冷水コーク１６を通じて冷水を出水することができる。
【００３６】
この時、前記温水コーク１２には別途の温水ボタン１１が設置され、使用者が前記温水レバー１４を押して、前記温水ボタン１１を押した場合に限って使用者に温水が提供されるようにすることもできる。温水は使用者に火傷を負わせることが可能な温度を有するため、幼い子供が不注意に前記温水レバー１４を押した場合に温水が吐出されるのを防止することができる。
【００３７】
また、本発明では前記冷水コーク１６に別途の冷水ボタン１７が設置され、使用者が前記冷水レバー１８を押して、前記冷水ボタン１７を押した場合に限って使用者に冷水タンクに収容された水が提供されるようにしてもよい。
【００３８】
本発明では温水タンクに収容された温水を利用して冷水タンクを殺菌するため、殺菌が実行される間には冷水タンクに温水が収容されるようになる。すなわち、殺菌が実行される間には冷水タンクに収容された水の温度が上昇する。殺菌が実行される間に使用者が前記冷水レバー１８のみを操作して冷水を出水しようとすることがある。この場合に子供などが前記冷水コーク１６を通じて温水が排出されれば、驚いたり、または火傷をするなどの問題が発生することがある。したがって、本発明では温水を取水する場合は勿論、冷水を取水するための構造でも前記冷水レバー１８と前記冷水ボタン１７が同時に操作されることを要求する構造を設けた。
【００３９】
一方、前記本体１０には前記温水コーク１２は温水を提供し、前記冷水コーク１６は冷水を提供するという表示部が設置される。この時、前記表示部はそれぞれのコークの上側に配置されて、使用者が容易に該当表示を認知することができる。
【００４０】
一方、前記温水コーク１２と前記冷水コーク１６の下部には使用者が水を過度に取り出して容器があふれたりした水を収容することができるトレー８が設けられる。前記トレー８は内側に所定大きさの収容空間を具備して水が一時的に収容されるように配置される。もちろん前記トレー８には別途のドレンパイプが設置されて、前記トレー８に収容された水が前記本体１０の外部にドレン排出されるように構成することも可能である。
【００４１】
図３は、図１の断面図である。以下、図３を参照して説明する。
【００４２】
前記本体１０の内部には温水が収容される温水タンク４６、冷水が収容される冷水タンク４０が設置される。
【００４３】
また、前記本体１０には外部から供給される水を浄化することができるフィルター２０が設けられ、前記冷水タンク４０に圧縮された冷媒を提供して前記冷水タンク４０に収容された水を冷却することができる圧縮機３が設置される。もちろん前記圧縮機３は前記冷水タンク４０内部の水を冷却するための冷却装置の一部構成要素で、蒸発器と冷媒が移動する冷媒管などは図３で省略されている。
【００４４】
一方前記本体１０には外部水道管から水の供給を受ける第１連結管２が設置される。この時、前記第１連結管２は外部水道管と前記フィルター２０を連結して水を前記フィルター２０に案内することができるようにする。
【００４５】
前記フィルター２０と前記冷水タンク４０との間には第２連結管４が設けられ、前記フィルター２０を通過して浄水された水は前記冷水タンク４０に案内される。前記冷水タンク４０では水が冷却された状態で保管される。
【００４６】
使用者が前記冷水レバー１８を操作した場合、前記冷水タンク４０の水は冷水供給管４２を通じて前記冷水コーク１６を通じて排出される。この時、使用者は前記冷水レバー１８と前記冷水ボタン１７を一緒に操作しなければならない。
【００４７】
前記冷水供給管４２には前記冷水供給管４２の流路を開閉して使用者に前記冷水供給管４２を通じて冷水を選択的に供給することができる第１バルブ１１０が設けられる。前記第１バルブ１１０は使用者が前記温水レバーを操作するか否かによって流路を開閉することが可能である。
【００４８】
一方、前記冷水タンク４０の水は第１案内管６を通じて前記温水タンク４６に移動される。前記冷水タンク４０から前記温水タンク４６に移動された水は前記温水タンク４６で加熱された状態で保管される。
【００４９】
前記第１案内管６は前記冷水タンク４０の下部と前記温水タンク４６の下部を連結することが可能である。前記第１案内管６を通じて前記冷水タンク４０から前記温水タンク４６に移動される水は前記温水タンクの下部を通じて前記温水タンク４６の内部に流入される。
【００５０】
本発明では、前記温水タンク４６に保管された水を加熱するヒーターが設置される。このヒーターは、図３では省略されているが、前記温水タンク４６の内部に収容された水に直接接触するように配置されてもよい。
【００５１】
使用者が前記温水レバー１４を操作した場合、前記温水タンク４６の水は温水供給管４８を通じて前記温水コーク１２を通じて排出される。この時、使用者は前記温水レバー１４と前記温水ボタン１１を一緒に操作しなければならない。
【００５２】
前記温水タンク４６は内部に収容された水を外部電源によって加熱し、前記冷水タンク４０は内部に収容された水を外部電源によって冷却する。
【００５３】
一方、前記温水タンク４６の上側には前記温水タンク４６と前記冷水タンク４０を連結する第２案内管３０が設けられる。具体的に前記第２案内管３０は前記温水タンク４６の上部から延長されて、前記温水タンク４６と前記第１バルブ１１０を連結する。
【００５４】
前記第１バルブ１１０と前記第２案内管３０との間には、前記第２案内管３０を通じて前記温水タンクの温水が前記冷水供給管４２を経って前記冷水タンクに流入される流路を開閉する第２バルブ１５０が設けられる。
【００５５】
前記第１バルブ１１０と前記第２バルブ１５０は互いに接するように連結され、一緒に流路を開閉することが可能である。この時、前記第１バルブ１１０が開閉する流路と前記第２バルブ１５０が開閉する流路は互いに異なることがある。
【００５６】
前記第２案内管３０には前記温水タンク４６の水を前記冷水タンク４０に移動させる循環ポンプ３２を含むことができる。前記循環ポンプ３２が駆動された場合、下部に位置する前記温水タンク４６の水が上部に位置する前記冷水タンク４０に移動する。
【００５７】
また、前記冷水タンク４０には前記冷水タンク４０の水を外部に排出するドレン管６２が設けられる。前記第１案内管６は前記冷水タンク４０の水を前記温水タンク４６に移動させ、前記ドレン管６２は前記冷水タンク４０の水を外部に排出させる。
【００５８】
前記ドレン管６２には前記冷水タンク４０に収容された水を外部に排出させる力を提供するドレンポンプ６０が設置される。一方、前記ドレンポンプ６０は、時間によって排出される水の量が時間に比例するため、前記ドレンポンプ６０が駆動される時間によって排出される量を測定することができる。
【００５９】
前記ドレン管６２の一端には前記ドレン管６２の流路を開閉するバルブ６４が設置される。前記バルブ６４の開放によって前記ドレン管６２を通じて水が排出されるか否かを決定することができる。
【００６０】
一方、前記第２連結管４または前記冷水タンク４０の上側には別途の開閉バルブ５が設けられ、前記第２連結管４を通じて前記冷水タンク４０に流入する水の量を調節することができる。前記冷水タンク４０に水が流入するのを中止させる場合、前記開閉バルブ５を利用して流路を塞いで、前記冷水タンク４０に水を流入させる場合、前記開閉バルブ５を利用して流路を開放することが可能である。
【００６１】
前記開閉バルブ５は前記冷水タンク４０の水が前記ドレン管６２を通じて外部に排出される時には前記第２連結管４の流路を閉鎖して、前記冷水タンク４０に前記フィルター２０を通過した水が供給されないようにする。
【００６２】
逆に、前記開閉バルブ５は前記冷水タンク４０に収容された水がすべて排出された以後には、前記第２連結管４の流路を開放して前記冷水タンク４０に水が供給されるようにする。したがって、殺菌が実行される間に前記温水タンク４６から供給される水が前記冷水タンク４０に収容された水と混合されて前記冷水タンク４０を加熱することができるようにできる。
【００６３】
前記開閉バルブ５は前記冷水タンク４０に収容された浮遊体の形態で変形されることができる。すなわち、浮遊体が前記冷水タンク４０の水位によって移動されて前記第２連結管４の流路を開閉することも可能である。
【００６４】
前記開閉バルブ５は上記以外にも、前記第２連結管４を通じて前記冷水タンク４０に移動する流路を開閉することができる多様な形態に変形することも可能である。
【００６５】
図４は本発明の要部を示した図面であり、図５は、図４を具体的に示した図面である。図５ａは図４を正面から眺めた図面であり、図５ｂは図４を後から眺めた図面であり、図５ｃは図４を側面から眺めた図面である。
【００６６】
図４及び図５を参照すれば、前記第１バルブ１１０と前記第２バルブ１５０は互いに隣接するように結合されて、その間に連結管１７４によって互いに連結される。前記連結管１７４は前記第１バルブ１１０による流路と前記第２バルブ１５０による流路を連結することができる。
【００６７】
前記第１バルブ１１０には外管を形成する第１ハウジング１２０が設けられ、前記第２バルブ１５０には外管を形成する第２ハウジング１６０が設けられる。
【００６８】
前記第１ハウジング１２０の正面には第１貫通孔１２２が設けられ、下側には第２貫通孔１２２が形成される。この時、前記第１貫通孔１２２は前記冷水供給管４２に連結され、前記第２貫通孔１２２は前記冷水コーク１６に連結される。
【００６９】
前記第２ハウジング１６０の側面には第１連通孔１６２が形成され、前記第１連通孔１６２は前記第２案内管３０に連結される。
【００７０】
図６は、図５で冷水が出水される時の流れを説明した図面である。
【００７１】
図６では使用者が冷水を出水する場合の前記第１バルブ１１０と前記第２バルブ１５０の動作を説明する。
【００７２】
前記第１バルブ１１０は外管を形成する第１ハウジング１２０と、第１流路を開閉する第１移動部１３０を含み、前記第１ハウジング１２０には、前記冷水供給管４２に連結される第１貫通孔１２２と、前記冷水コーク１６に連結される第２貫通孔１２４と、前記第２バルブ１５０に連結される第３貫通孔１２６が形成される。
【００７３】
この時前記第１流路は、前記冷水コーク１６を通じて冷水が出水される流路を意味する。前記第１移動部１３０は前記第１ハウジング１２０に上下移動が可能に設けられて、前記第１移動部１３０が上昇すると前記第１流路が閉まって、前記第１移動部１３０が下降すると前記第１流路が開放される。
【００７４】
すなわち、前記第１バルブ１１０の前記第１ハウジング１２０には前記第１貫通孔１２２、前記第２貫通孔１２４、前記第３貫通孔１２６が形成されて流路を形成することができる。
【００７５】
前記第２バルブ１５０は、外観を形成する第２ハウジング１６０と、第２流路を開閉する第２移動部１７０を含み、前記第２ハウジング１６０には前記第２案内管３０に連結される第１連通孔１６２と、前記第３貫通孔１２６に連結される第２連通孔１６４が形成される。
【００７６】
この時前記第２流路は、前記第２案内管３０を通じて前記温水タンク４６の温水が前記冷水供給管４２を経て前記冷水タンク４０に流入する流路を開閉する。前記第２移動部１７０は前記第２ハウジング１６０に上下移動が可能に設けられて、前記第２移動部１７０が上昇すると前記第２流路が閉まって、前記第２移動部１７０が下降すると前記第２流路が開放される。
【００７７】
前記第２連通孔１６４と前記第３貫通孔１２６は前記連結管１７４によって互いに連結される。この時前記連結管１７４は別途の部材ではなく前記第１バルブ１１０または前記第２バルブ１５０の一側に突出した管を成すことが可能である。
【００７８】
前記第２連通孔１６４、前記第３貫通孔１２６及び前記第１貫通孔１２２は水が移動できるように常に詰まらないで連通される。通常、前記第１貫通孔１２２は前記冷水供給管４２に連結されるために、前記冷水タンク４０が提供する水の圧力によって水で満たされることができる。
【００７９】
前記第２連通孔１６４、前記第３貫通孔１２６及び前記第１貫通孔１２２の間には連結される流路を選択的に閉めることができる部材が具備されない。
【００８０】
図６で示したように、使用者が前記冷水コーク１６を通じて冷水を出水することを所望すれば、前記第１バルブ１１０の前記第１移動部１３０が上昇される。
【００８１】
そうすると、前記冷水供給管４２から冷水が供給されている状態であるため、冷水は前記第１貫通孔１２２を通じて前記第２貫通孔１２４に案内される。すなわち、前記第１流路を通じて水が移動することができるため、使用者に最終的に冷水が供給される。
【００８２】
しかし、前記第２移動部１７０は上昇されないため、冷水は前記第１貫通孔１２２、前記第３貫通孔１２６及び前記第２連通孔１６４までは移動されず、それ以上移動することができずに停止する。
【００８３】
図７は、図５で殺菌が実行される時の流れを説明した図面である。
【００８４】
本発明で殺菌は、前記温水タンク４６の温水を冷水タンク４０に移動させて冷水タンク４０を加熱する方式で実行される。したがって、このために前記第１バルブ１１０と前記第２バルブ１５０では前記温水タンク４２で前記冷水タンク４０に移動される流路を開放する。
【００８５】
図７を参照すれば、殺菌が実行される間には前記第２移動部１７０が上昇される。
【００８６】
このとき、前記第２案内管３０から温水が供給されている状態であるため、温水は前記第１連通孔１６２を通じて前記第２連通孔１６４に案内され、前記連結管１７４を経て前記第３貫通孔１２６に移動する。そして、前記第３貫通孔１２６を通過した温水は前記第１貫通孔１２２に移動して最終的に前記冷水タンク４０に移動する。
【００８７】
しかし、前記第１移動部１３０は上昇されないため、温水は前記第２貫通孔１２４に移動しないために使用者に温水が供給されない。
【００８８】
図８は、冷水が出水される時の水の流れを示した図面である。以下、図８を参照して説明する。
【００８９】
使用者が冷温水器を使用する時には、水は前記第１連結管２、前記フィルター２０、前記第２連結管４、前記冷水タンク４０、前記第１案内管６、前記温水タンク４６の順に移動する。
【００９０】
すなわち、前記冷水タンク４０に収容された水は前記第１案内管６を通じて前記温水タンク４６に移動する。前記冷水タンク４０は前記温水タンク４６の上側に配置されるため、重力によって前記冷水タンク４０の水は前記温水タンク４６に移動する。
【００９１】
使用者が前記冷水レバーを押せば前記第１バルブ１１０で前記第１移動部１３０が上昇されながら、前記冷水タンク４０から前記第１バルブ１１０を経て冷水が供給される。この時、前記第１バルブ１１０及び前記第２バルブ１５０は図６で説明した形態で動作する。
【００９２】
図９は、ドレン管を通じて水が排出される時の水の流れを示した図面である。以下、図９を参照して説明する。
【００９３】
前記冷水タンク４０に収容された水は前記ドレン管６２を通じて外部に排出される。
【００９４】
前記ドレン管６２は前記冷水タンク４０の下部に連結されるために水の自重によって前記冷水タンク４０の水は外部に排出される。この時、前記バルブ６４が前記ドレン管６２の流路を開放することができる。
【００９５】
一方、前記冷水タンク４０で水が排出される時間を減らすために前記ドレンポンプ６０が駆動される。前記ドレンポンプ６０は前記冷水タンク４０から前記ドレン管６２を通じて水が排出される力を提供する。
【００９６】
また、前記ドレンポンプ６０の駆動によって水の一定量が移動されるため、前記ドレンポンプ６０を利用して前記冷水タンク４０に残存する水の量を判断することができ、ひいては前記冷水タンク４０の水がすべて排出されたか否かを判断することができる。
【００９７】
図１０は、循環ポンプが駆動される時に水の流れを示した図面である。以下、図１０を参照して説明する。
【００９８】
使用者が殺菌を所望するか、または設定された時間によって殺菌が自動的に実行される場合、前記循環ポンプ３２が駆動される。前記循環ポンプ３２は前記温水タンク４６に収容された温水を前記冷水タンク４０で上昇させる。
【００９９】
前記冷水タンク４０は前記温水タンク４６の下方に配置されるため、前記循環ポンプ３２のように重力に勝ることができる程度の力を提供する供給手段が必要である。
【０１００】
前記循環ポンプ３２が駆動されると、前記第２案内管３０を通じて温水が移動する。この時、前記第１バルブ１１０と前記第２バルブ１５０は図７に示されるように動作して温水の移動を案内する。
【０１０１】
前記温水タンク４６に収容された水は、常温より高いために前記冷水タンク４０の内部の温度が上昇する。前記温水タンク４６の水が前記冷水タンク４０に上昇すると、前記冷水タンク４０内部の温度が低温殺菌が可能な略６５℃まで上昇される。前記冷水タンク４０内部が略６５℃まで上昇されると、前記冷水タンク４０に付着していたり、または残存する細菌を殺すことができる。
【０１０２】
したがって、所定時間の間に前記冷水タンク４０の内部温度を上昇させることができるために前記冷水タンク４０に対する殺菌が実行されることができる。
【０１０３】
前記温水タンク４６から上昇した水は、前記第２案内管３０を通過して前記冷水供給管４２を通過した後前記冷水タンク４０に案内される。したがって、温水が前記冷水供給管４２の温度を上昇させることができるため前記冷水供給管４２まで殺菌することができる。
【０１０４】
図１１は、本発明によるブロック図である。以下、図１１を参照して説明する。
【０１０５】
前記冷水タンク４０には前記冷水タンク４０に収容された水の温度を測定する温度センサー７０が設けられる。前記温度センサー７０は測定された温度を制御部１００に提供して、前記冷水タンク４０の温度が設定された温度程度まで変化したか否かを判断することができる。
【０１０６】
また、本発明はタイマー８０を利用して殺菌が実行された以後の時間を測定して、測定された時間に関する情報を前記制御部１００に提供することができる。
【０１０７】
前記制御部１００は前記圧縮機３を駆動して前記冷水タンク４０に冷気を提供することができる。
【０１０８】
また、前記制御部１００は前記ヒーター９０を駆動して前記温水タンク４６に収容された水を加熱することができる。
【０１０９】
前記制御部１００は、殺菌が実行される間、前記圧縮機３を中止して前記冷水タンク４０に冷気が供給されないようにする一方、前記ヒーター９０を駆動して前記温水タンク４６に収容された水を加熱することができる。
【０１１０】
また、前記制御部１００は殺菌が実行される間、前記循環ポンプ３２を駆動させることができる。前記循環ポンプ３２が駆動されると前記第１案内管６を通じて前記冷水タンク４０から前記温水タンク４６に水が移動し、前記第２案内管３０を通じて前記温水タンク４６から前記冷水タンク４０に水が移動する。
【０１１１】
前記温水タンク４６と前記冷水タンク４０との間には前記第１案内管６と前記第２案内管３０を通じて水が循環されるために前記冷水タンク４０に温水が容易に流入するため、前記温水タンク４６と前記冷水タンク４０が一つの管によって連結された方式に比べて、前記温水タンク４６の温度を素早く上昇させることができる。
【０１１２】
前記制御部１００は前記バルブ６４を開放して、前記ドレンポンプ６０を駆動して前記冷水タンク４０に収容された水を外部に排出することができる。
【０１１３】
前記制御部１００は前記第１バルブ１１０と前記第２バルブ１５０の前記第１移動部１３０と前記第２案内部１６０を移動して前記第１流路と前記第２流路を開閉することができる。
【０１１４】
図１２は、本発明による殺菌制御流れ図である。以下、図１２を参照して説明する。
【０１１５】
使用者によるか、または既設定された値によって殺菌が開始される。
【０１１６】
そうすると、まず前記冷水タンク４０に収容された冷水が外部に排出される(Ｓ１０)。この時、前記バルブ６４が開放されて前記ドレン管６２の流路が形成される。また、前記ドレンポンプ６０が駆動されて前記冷水タンク４０に収容された水の排出が円滑で一定になされる。
【０１１７】
この時、前記第２連結管４に設けられた前記開閉バルブ５が前記冷水タンク４０に水が流入しないようにする。前記冷水タンク４０から排出される水だけがあって流入する水はないため、Ｓ１０段階では前記冷水タンク４０の内部が空いた状態となる。
【０１１８】
一方前記制御部１００は、前記ドレンポンプ６０の駆動時間が設定時間を経過すれば前記冷水タンク４０の冷水排出が完了したと判断することができる。
【０１１９】
本発明では前記冷水タンク４０に収容された冷水が外部に排出されるため、前記冷水タンク４０の温度を上昇させるためのエネルギーを節減することができる。仮に、前記冷水タンク４０に冷水が収容された状態で前記冷水タンク４０を加熱すれば、さらに大きい熱量を要するためである。
【０１２０】
前記冷水タンク４０から冷水が排出される間に、または冷水排出が完了した後には前記制御部１００は、前記第１流路を閉めて前記第２流路を開放する(Ｓ１５)。
【０１２１】
すなわち、前記制御部１００は使用者に冷水が排出されないようにする一方、前記温水タンク４６から前記冷水タンク４０に温水が移動することができる流路を形成する(図７参照)。
【０１２２】
前記冷水タンク４０の冷水が排出されると、前記循環ポンプ３２を駆動して前記温水タンク４６の温水が前記冷水タンク４０に移動できるようにする(Ｓ２０)。
【０１２３】
この時、前記第２連結管４に設けられた前記開閉バルブ５を利用して水を前記冷水タンク４０に移動することができる。前記第２連結管４を通じて供給される水は冷水ではない室温と同一な温度の水であるため冷水を加熱するより少ない熱量で温度上昇が可能である。
【０１２４】
前記冷水タンク４０で追加的な水が供給されるため前記温水タンク４６で供給される水に合わされて、前記冷水タンク４０の内部を充分に満たすことができる程度の水が設けられる。
【０１２５】
一方、この時水は前記冷水タンク１００、前記第１案内管６、前記温水タンク４６及び前記第２案内管３０に沿って移動して循環する。
【０１２６】
この時、前記ヒーター９０が駆動され、前記温水タンク４６に収容された水を続いて加熱することが望ましい。したがって、前記冷水タンク４０に収容された水は、適正温度まで上昇されて前記冷水タンク４０に対する殺菌が実行される。
【０１２７】
続いて、前記タイマー８０によって設定時間の間に前記冷水タンク４０の温度が上昇した状態を維持する(Ｓ３０)。
【０１２８】
設定時間が経過すれと、殺菌が完了したと判断して、前記冷水タンク４０の水は外部に排出される(Ｓ４０)。この時、前記冷水タンク４０の温水が外部に排出されることはＳ１０と同一な方式で実行されることができる。
【０１２９】
一方、Ｓ１０では前記ドレン管６２を通じて冷水が排出されたが、Ｓ４０では前記ドレン管６２を通じて温水が排出されるという差がある。
【０１３０】
図１３は、図１２の変形例を示した図面である。以下、図１３を参照して説明する。
【０１３１】
参照で、図１３では殺菌が実行される時に故障のような問題が発生したかを認知することができる。
【０１３２】
殺菌が始まると前記冷水タンク４０の冷水が前記ドレン管６２を通じて外部に排出される(Ｓ１０)。
【０１３３】
前記第１バルブ１１０と前記第２バルブ１５０は、それぞれ前記第１流路を閉めて前記第２流路を開放するように調節される(Ｓ１５)。
【０１３４】
そして、前記循環ポンプ３２を通じて前記温水タンク４６の温水が前記冷水タンク４０に移動する(Ｓ２０)。
【０１３５】
続いて所定時間が経過したかを判断して(Ｓ２２)、前記冷水タンク４０の水温度を測定する(Ｓ２４)。
【０１３６】
前記温度センサー７０によって測定された水温度が一定値以上に上昇した場合(Ｓ２６)、殺菌が正常に実行されるものとして認知する(Ｓ３０)。
【０１３７】
したがって、図１２に示されるような殺菌を正常に実行する。この時、前記冷水タンク４０に対する殺菌が正常に実行されるためには前記第２連結管４を通じて前記冷水タンク４０に外部の水が正常に供給されることが条件とされる。
【０１３８】
前記温度センサー７０によって測定された水温度が一定値以上に上昇しない場合(Ｓ２６)、前記循環ポンプ３２の駆動を中止して殺菌動作に問題が発生したものとして認知する(Ｓ２８)。
【０１３９】
前記冷水タンク４０に対する殺菌が正常に実行されるためには前記温水タンク４６に収容された水が前記冷水タンク４０に到達して前記冷水タンク４０に収容された状態が維持されなければならない。しかし、前記温水タンク４６に満たされた水は前記冷水タンク４０と前記温水タンク４６を満たすには量が不足である。したがって、殺菌が実行されるうちに前記開閉バルブ５が外部の水を前記冷水タンク４０に流入させなければならないが、前記第２連結管４を通じて前記冷水タンク４０に充分に水が供給されなかったという問題が発生したものとして把握することができる。
【０１４０】
一方、殺菌が実行される間に前記ヒーター９０が駆動されるため、前記冷水タンク４０に常温の水が供給されない状態で前記ヒーター９０が駆動されれば、冷温水器が過度に過熱されて火事が発生する問題まで発生することがある。
【０１４１】
本発明ではこのような問題が発生することを防止するため、殺菌が正常に実行されない状況では殺菌動作を中止させる。
【０１４２】
一方故障が発生した場合、使用者にビープ音や別途の表示部を通じて殺菌動作中に故障が発生したという情報を使用者に提供することができる(Ｓ５０)。
【０１４３】
本発明は、前記冷水タンク４０はもちろん前記冷水タンク４０に連結された前記冷水供給管４２まで殺菌することができるため、冷温水器を使用する時に清潔度を向上させることができる。
【０１４４】
本発明は上述した実施例に限定されず、添付した請求の範囲で分かるように本発明が属した分野の通常の知識を持った者によって変形が可能で、このような変形は本発明の範囲に属する。
【符号の説明】
【０１４５】
１０  本体
１７  冷水ボタン
１８  冷水レバー
４０  冷水タンク
４６  温水タンク
６０  ドレンポンプ
６２  ドレン管
６４  バルブ
７０  温度センサー
９０  ヒーター
１００  制御部
１１０  第１バルブ
１５０  第２バルブ
【図１】
2017141060.tif 000003
【図２】
2017141060.tif 000004
【図３】
2017141060.tif 000005
【図４】
2017141060.tif 000006
【図５ａ】
2017141060.tif 000007
【図５ｂ】
2017141060.tif 000008
【図５ｃ】
2017141060.tif 000009
【図６】
2017141060.tif 000010
【図７】
2017141060.tif 000011
【図８】
2017141060.tif 000012
【図９】
2017141060.tif 000013
【図１０】
2017141060.tif 000014
【図１１】
2017141060.tif 000015
【図１２】
2017141060.tif 000016
【図１３】
2017141060.tif 000017